(57)【要約】【課題】ジュリ形態の化粧料及び水素発生剤をそれぞれ分封封入して、手の平にジュリ形態の化粧料及び水素発生剤をのせるに簡便で、使い勝手がよく、水素含有化粧料が手作りされ、使用を直ちになし得る溶存水素濃度の持続性を有したジュリ形態の水素含有化粧料を提供する。【解決手段】外圧によって前記二つの収容室が重なるように折り曲げられ、押圧されると、前記折れ目線に沿って比較的に硬いシートが破断して、前記双方の突状通路部が、破断した折れ目線に沿って開口し、それぞれ独立に収容されたジュリ形態の化粧料及び油性の増粘性剤と紛体形態の水素発生剤とが同時に同一方向に向けて導出される。【選択図】図１
2019130214.tif 000002
【特許請求の範囲】
【請求項１】
比較的に硬いシートと折り曲げ可能な可撓性のシートとを備え、折り曲げられたときに伸長側に比較的に硬いシートが配されて、これらのシートが重ねられて周縁を互いに固着されて、流動物質をそれぞれ収納し得るように形成された二つの収容室が互いに向かい合うようにして併設され、かつ当該二つの収容室の間は前記二つのシートが互いに固着されることで形成された隔絶部によって隔絶され、一方の収容室に連接して一方の突状通路部が、そして他方の収容室に連接して他方の突状通路部が設けられ、これらの突状通路部が互いに隔壁部で隔絶され、隔壁部が、隔壁部を形成したシートの内、比較的硬いシートに、双方の突状通路部を横断するようにして設けられた折れ目線を備えた化粧料分配包装体であって、
前記流動物質は、その一方がジュリ形態の化粧料成分及び油性の増粘性剤成分であり、他方が紛体形態の水素発生剤成分であり、
前記一方の収容室に、ジュリ形態の化粧料成分及び油性の増粘性剤成分が収納され、前記他方の収容室に、収容室内空間部を形成する形態で、水素発生剤成分が収納され、
外圧によって前記二つの収容室が重なるように折り曲げられ、押圧されると、前記折れ目線に沿って比較的に硬いシートが破断し、可撓性のシートが破断されず、前記双方の突状通路部が、破断した折れ目線に沿って開口すること
を特徴とする化粧料分配包装体。
【請求項２】
請求項１に記載された化粧料分配包装体において、前記双方の突状通路部は、紛体形態の水素発生剤成分が収納された収容室に連通する側の突状通路部の開口部の開口面積が、ジュリ形態の化粧料成分及び油性の増粘性剤成分が収納された収容室に連通する側の突状通路部の開口部の開口面積に比べて大きく形成されていることを特徴とする化粧料分配包装体。
【請求項３】
請求項１又は２において、前記双方の突状通路部は、紛体形態の水素発生剤成分が収納された収容室に連通する側の突状通路部の開口部が中央側に、ジュリ形態の化粧料成分及び油性の増粘性剤成分が収納された収容室に連通する側の突状通路部の開口部が外側に設置されていることを特徴とする化粧料分配包装体。
【請求項４】
比較的に硬いシートと折り曲げ可能な可撓性のシートとを備え、折り曲げられたときに伸長側に比較的に硬いシートが配されて、これらのシートが重ねられて周縁を互いに固着されて、流動物質をそれぞれ収納し得るように形成された二つの収容室が互いに向かい合うようにして併設され、かつ当該二つの収容室の間は前記二つのシートが互いに固着されることで形成された隔絶部によって隔絶され、一方の収容室に連接して一方の突状通路部が、そして他方の収容室に連接して他方の突状通路部が設けられ、これらの突状通路部が互いに隔壁部で隔絶され、一方の収容室に連接して一方の突状通路部が、他方の収容室に連接して他方の突状通路部が設けられ、これらの突状通路部がそれぞれ隔壁部の中央を越えて、各収容室への連接部分から隔絶部まで延在し、隔壁部が、隔壁部を形成したシートの内、比較的硬いシートに、双方の突状通路部を横断するようにして設けられた折れ目線を備えた化粧料分配包装体を用いてそれぞれの流動物質を分配するものであって、
前記流動物質は、その一方がジュリ形態の化粧料成分及び油性の増粘性剤成分で、他方を紛体形態の水素発生剤成分であり、
ジュリ形態の化粧料成分及び油性の増粘性剤成分と紛体形態の水素発生剤成分とを分配する水素ガス含有化粧料形成のための組成物の分配方法において、
前記一方の収容室に、ジュリ形態の化粧料成分及び油性の増粘性剤成分を収納し、前記他方の収容室に、収容室内空間部を形成する形態で、ジュリ形態の化粧料成分の量よりも少量とされた紛体形態の水素発生剤成分を収納し、
外圧によって前記二つの収容室が重なるように折り曲げ、押圧して、前記折れ目線に沿って比較的に硬いシートを破断させ、可撓性のシートを破断させず、前記双方の突状通路部に、破断した折れ目線に沿って開口し、それぞれ独立に収容されたジュリ形態の化粧料及び油性の増粘性剤と紛体形態の水素発生剤とを同一方向に向けて押し出し、分配すること
と特徴とするジュリ形態の化粧料成分及び油性の増粘性剤成分と紛体形態の水素発生剤成分とを分配する水素ガス含有化粧料形成のための組成物の分配方法。
【請求項５】
請求項４に記載されたジュリ形態の化粧料成分及び油性の増粘性剤成分と紛体形態の水素発生剤成分とを分配する水素ガス含有化粧料形成のための組成物の分配方法を用いて実施する人間の手の平上で水素ガス含有のジュリ形態の化粧料を形成する水素含有化粧料形成方法において、
押し出し、分配されたジュリ形態の化粧料成分及び油性の増粘性剤成分と紛体形態の水素発生剤成分と人間の手の平上に同時に集合させ、人間の手の平上で混合させ、
当該混合によってジュリ形態の化粧料中の水分と紛体形態の水素発生剤成分とを反応させて、水素ガスを生成させ、ジュリ形態の化粧料を生成させ、生成した水素ガスを生成されたジュリ形態の化粧料中に含有せしめ、水素ガスを含有したジュリ形態の化粧料を直ちに使用可能とし、ジュリ形態の化粧料中に水素を保持持続させたこと
を特徴とした化粧料分配包装体を用いて人間の手の平上で水素ガス含有のジュリ形態の化粧料を形成する水素含有化粧料形成方法。
【発明の詳細な説明】
【技術分野】
【０００１】
本発明は、化粧料分配包装体、水素ガス含有化粧料形成のための組成物の分配方法及び水素含有化粧料形成方法に関する。
【背景技術】
【０００２】
溶存水素濃度の持続性を有した水素含有化粧料の提供が求められる。水素は、あらゆる物質の中で、最も小さく、軽く、拡散性のある物質であり、ペットボトルやガラス、鉄やアルミなどの金属でもすり抜けるほどの物質である。水素ガスは、常温常圧で無味無臭の気体であり、人体に対して無害である。このために、水素ガスは、肌表面のアンチェンジング物質として期待されており、化粧料にその応用が進められている。
【０００３】
特許文献１には、化粧料本体組成物に水素微細気泡を添加し、昇温して低粘度化させた油相を加えて冷却しつつ混合し、高粘度化する方法が記載される。
【０００４】
特許文献２には、水素発生剤と無機系吸湿剤との混合粉末を封入した第１包装体と、水素発生助剤を封入した第２包装体を備え、第１包装体がガスバリア性フイルムから構成された化粧料包装体が記載され、化粧料がクリーム剤であってもよいこと、水素発生
助剤は、親水性増粘剤、油剤を分散させて調整され得ることが記載される。
【先行技術文献】
【特許文献】
【０００５】
【特許文献１】特開２０１７−３１１２９号公報
【特許文献２】特開２０１７−８８５６３号公報
【発明の概要】
【発明が解決しようとする課題】
【０００６】
水素含有化粧料が手作りされ、使用が直ちになされた方法で作成された溶存水素濃度の持続性を有したジュリ形態の水素含有化粧料の提供が求められる。
【０００７】
特許文献１には、化粧料本体組成物に水素微細気泡を添加し、昇温して低粘度化させた油相を加えて冷却しつつ混合し、高粘度化する方法が記載されるが、水素含有化粧料が手作りされ、水素濃度が低下しない前に使用が直ちになされた方法ではなく、使用時に溶存水素濃度の持続性を有したジュリ形態の水素含有化粧料であることが期待できない。
【０００８】
従来、溶存水素濃度の持続性を有したジュリ形態の水素含有化粧料の形成に際しては、手の平にジュリをのせ、包装体に収納した水素発生剤を適量振り掛ける方法が採用された。
【０００９】
特許文献２には、水素発生剤と無機系吸湿剤との混合粉末を封入した第１包装体と、水素発生助剤を封入した第２包装体を備えた化粧料包装体が記載され、水素発生剤側の提案がなされるが、ジュリ形態の水素含有化粧料を包装体に封入させ組み合わせることが記載されない。
【００１０】
本発明は、かかる点に鑑みジュリ形態の化粧料成分及び水素発生剤成分を包装体にそれぞれ分封封入して、手の平にジュリ形態の化粧料及び水素発生剤をのせるに簡便で、使い勝手がよく、水素含有化粧料が手作りされ、水素濃度が低下しない前に直ちに使用し得、溶存水素濃度の持続性を有したジュリ形態の水素含有化粧料を提供することを課題とする。
【課題を解決するための手段】
【００１１】
本発明は、比較的に硬いシートと折り曲げ可能な可撓性のシートとを備え、折り曲げられたときに伸長側に比較的に硬いシートが配されて、これらのシートが重ねられて周縁を互いに固着されて、流動物質をそれぞれ収納し得るように形成された二つの収容室が互いに向かい合うようにして併設され、かつ当該二つの収容室の間は前記二つのシートが互いに固着されることで形成された隔絶部によって隔絶され、一方の収容室に連接して一方の突状通路部が、そして他方の収容室に連接して他方の突状通路部が設けられ、これらの突状通路部が互いに隔壁部で隔絶され、隔壁部が、隔壁部を形成したシートの内、比較的硬いシートに、双方の突状通路部を横断するようにして設けられた折れ目線を備えた化粧料分配包装体であって、
前記流動物質は、その一方がジュリ形態の化粧料成分及び油性の増粘性剤成分であり、他方が紛体形態の水素発生剤成分であり、
前記一方の収容室に、ジュリ形態の化粧料成分及び油性の増粘性剤成分が収納され、前記他方の収容室に、収容室内空間部を形成する形態で、ジュリ形態の化粧料成分の量よりも少量とされた紛体形態の水素発生剤成分が収納され、
外圧によって前記二つの収容室が重なるように折り曲げられ、押圧されると、前記折れ目線に沿って比較的に硬いシートが破断し、可撓性のシートが破断されず、前記双方の突状通路部が、破断した折れ目線に沿って開口し、それぞれ独立に収容されたジュリ形態の化粧料成分及び油性の増粘性剤成分と紛体形態の水素発生剤成分とが同時に同一方向に向けて押し出され得る開口部を備えることになる
を特徴とする化粧料分配包装体を提供する。
【００１２】
本発明は、上述の化粧料分配包装体において、前記双方の突状通路部は、紛体形態の水素発生剤成分が収納された収容室に連通する側の突状通路部の開口部の開口面積が、ジュリ形態の化粧料成分及び油性の増粘性剤成分が収納された収容室に連通する側の突状通路部の開口部の開口面積に比べて大きく形成されていることを特徴とする化粧料分配包装体を提供する。
【００１３】
本発明は、上述の化粧料分配包装体において、前記双方の突状通路部は、紛体形態の水素発生剤成分が収納された収容室に連通する側の突状通路部の開口部が中央側に、ジュリ形態の化粧料成分及び油性の増粘性剤成分が収納された収容室に連通する側の突状通路部の開口部が外側に設置されていることを特徴とする化粧料分配包装体を提供する。
【００１４】
本発明は、比較的に硬いシートと折り曲げ可能な可撓性のシートとを備え、折り曲げられたときに伸長側に比較的に硬いシートが配されて、これらのシートが重ねられて周縁を互いに固着されて、流動物質をそれぞれ収納し得るように形成された二つの収容室が互いに向かい合うようにして併設され、かつ当該二つの収容室の間は前記二つのシートが互いに固着されることで形成された隔絶部によって隔絶され、一方の収容室に連接して一方の突状通路部が、そして他方の収容室に連接して他方の突状通路部が設けられ、これらの突状通路部が互いに隔壁部で隔絶され、一方の収容室に連接して一方の突状通路部が、他方の収容室に連接して他方の突状通路部が設けられ、これらの突状通路部がそれぞれ隔壁部の中央を越えて、各収容室への連接部分から隔絶部まで延在し、隔壁部が、隔壁部を形成したシートの内、比較的硬いシートに、双方の突状通路部を横断するようにして設けられた折れ目線を備えた化粧料分配包装体を用いてそれぞれの流動物質を分配するものであって、
前記流動物質は、その一方がジュリ形態の化粧料成分及び油性の増粘性剤成分で、他方を紛体形態の水素発生剤成分であり、
ジュリ形態の化粧料成分及び油性の増粘性剤成分と紛体形態の水素発生剤成分とを分配する水素ガス含有化粧料形成のための組成物の分配方法において、
前記一方の収容室に、ジュリ形態の化粧料成分及び油性の増粘性剤成分を収納し、前記他方の収容室に、収容室内空間部を形成する形態で、ジュリ形態の化粧料成分の量よりも少量とされた紛体形態の水素発生剤成分を収納し、
外圧によって前記二つの収容室が重なるように折り曲げ、押圧して、前記折れ目線に沿って比較的に硬いシートを破断させ、可撓性のシートを破断させず、前記双方の突状通路部に、破断した折れ目線に沿って開口し、それぞれ独立に収容されたジュリ形態の化粧料及び油性の増粘性剤成分と紛体形態の水素発生剤成分とを同一方向に向けて押し出し、分配すること
と特徴とするジュリ形態の化粧料成分及び油性の増粘性剤成分と紛体形態の水素発生剤成分とを分配する水素ガス含有化粧料形成のための組成物の分配方法を提供する。
【００１５】
本発明は、上述のジュリ形態の化粧料成分及び油性の増粘性剤成分と紛体形態の水素発生剤成分とを分配する水素ガス含有化粧料形成のための組成物の分配方法を用いて実施する人間の手の平上で水素ガス含有のジュリ形態の化粧料を形成する水素含有化粧料形成方法において、
押し出し、分配されたジュリ形態の化粧料成分及び油性の増粘性剤成分と紛体形態の水素発生剤成分と人間の手の平上に同時に集合させ、人間の手の平上で混合させ、
当該混合によってジュリ形態の化粧料中の水分と紛体形態の水素発生剤成分とを反応させて、水素ガスを生成させ、ジュリ形態の化粧料を生成させ、生成した水素ガスを生成されたジュリ形態の化粧料中に含有せしめ、水素ガスを含有したジュリ形態の化粧料を直ちに使用可能とし、ジュリ形態の化粧料中に水素を保持持続させたこと
を特徴とした化粧料分配包装体を用いて人間の手の平上で水素ガス含有のジュリ形態の化粧料を形成する水素含有化粧料形成方法を提供する。
【発明の効果】
【００１６】
外圧によって前記二つの収容室が重なるように折り曲げられ、押圧されると、前記折れ目線に沿って比較的に硬いシートが破断し、可撓性のシートが破断されず、前記双方の突状通路部が、破断した折れ目線に沿って開口し、それぞれ独立に収容されたジュリ形態の化粧料成分及び油性の増粘性剤成分と紛体形態の水素発生剤成分とが同時に同一方向に向けて押し出され得る。
【００１７】
このようにすることで、ジュリ形態の化粧料成分及び油性の増粘性剤成分と水素発生剤成分とを上述された化粧料分配包装体にそれぞれ分封封入して、手の平にジュリ形態の化粧料及び水素発生剤をのせるに簡便で、使い勝手がよく、水素含有化粧料が手作りされ、水素濃度が低下しない前に直ちに使用し得、溶存水素濃度の持続性を有したジュリ形態の水素含有化粧料を提供できる。
【図面の簡単な説明】
【００１８】
【図１】本発明の実施例である化粧料分配包装体１００の構成を示す斜視図
【図２】図１記載の化粧料分配包装体１００を手前の横から見た側面図
【図３】外圧によって二つの収容室が重なるように折り曲げられ、押圧された状態を示す図
【図４】外圧によって二つの収容室が重なるように折り曲げられときの開口部形成の状態を示す図
【図５】手の平上で水素包含のジュリ化粧料を形成している状況を示す図
【図６】水素含有化粧料中の水素ガス濃度を水素ガス濃度測定器４１で測定している状態を示す図
【図７】水素含有化粧料が手の甲上で水素を含有することを比較例との参照の下、写真で示す図
【図８】本実施例及び比較例について水素濃度を測定した結果を示す実験報告書を示す図
【発明を実施するための形態】
【００１９】
以下、本発明を実施するための形態について説明する。
【００２０】
図１は、本発明の実施例である化粧料分配包装体１００の構成を示す斜視図である。図２は、図１記載の化粧料分配包装体１００を手前の横から見た側面図である。
【００２１】
化粧料分配包装体１００は、例えば長手方向に５ｃｍ、横方向に３．５ｃｍ外郭で、同一形状の二つの収容室１、２を持つ。この外郭形状に限定されない。例えば、二つの収容室１、２の形態を異形なものとすることができる。ここでは同一形状形態を例にとって説明する。
【００２２】
これらの図面において、化粧料分配包装体１００は、  比較的に硬いシート３と折り曲げ可能な可撓性のシート４とを備え、折り曲げられたときに伸長側に比較的に硬いシート３が配されて、これらのシートが重ねられて周縁を互いに固着されて、流動物質をそれぞれ収納し得るように形成された二つの収容室１、２が互いに向かい合うようにして併設される。
【００２３】
当該二つの収容室１、２の間は二つのシート３、４互いに固着されることで形成された隔絶部５によって隔絶され、一方の収容室１に連接して一方の突状通路部６が、他方の収容室２に連接して他方の突状通路部７が設けられ、これらの突状通路部６、７がそれぞれ隔壁部５の中央を越えて、各収容室への連接部分８、９から隔絶部５まで延在し、隔壁部５が、隔壁部５を形成したシート３、４の内、比較的硬いシート３に、双方の突状通路部６、７を横断するようにして設けられた折れ目線１０を備えて構成される。
【００２４】
図１において、一方の突状通路部６が一方の収容室１の上面に、左右両側に形成され、他方の突状通路部７が他方の収容室２の上面に、その中央部に形成される。
【００２５】
各突状通路部６が隔壁部５に向けて徐々に突出し、隔離部５において最大の大きさになる。
【００２６】
双方の突状通路部６、７は、横側方から見たときに、重なった形態となるが、各独立し、連通されない。
【００２７】
折れ目線１０は、図において左上側から右下側に向けて一直線上をなし、強度において、比較的硬いシート３に、弱点線を形成する。外圧によって二つの収容室１、２が重なるように折り曲げられ、押圧されると、隔壁部５上の折れ目線に沿って比較的に硬いシートが破断する。このときに可撓性のシートはその可撓性のため破断されない。可撓性のシート４は、二つの収容室１、２の接続関係を維持することができる。
【００２８】
一方の突状通路部１及び他方の収容室２は、折り曲げ可能な可撓性のシート４を袋状に膨らませた形状をなし、比較的硬いシート３によって塞がれた形状をなす。外部から押圧されると、双方のシートは、共同して内部にある流動物質を押圧する。
【００２９】
化粧料分配包装体１００に収納される流動物質は、一方がジュリ形態の化粧料成分１１及び油性の増粘性剤成分１２であり、他方が紛体形態の水素発生剤成分１３である。
【００３０】
ジュリ形態の化粧料成分１１及び油性の増粘性剤成分１２が一方の収納室１に収納され、紛体形態の水素発生剤成分１３が一方の収納室２に収納される。ジュリ形態の化粧料成分１１、油性の増粘性剤成分１２及び紛体形態の水素発生剤成分１３が水素ガス含有化粧料形成のための組成物となる。化粧料形成組成物とは、基本的には市販されたあるいは市販される化粧料成分、油性の増粘性剤成分１２及び紛体形態の水素発生剤成分１３からなり、これらの成分に香料、スクラブ剤、粉末、色剤、美白剤、紫外線吸収剤、紫外線散乱剤などの紫外線防御剤が含まれてもよい。本実施例が適用される前の化粧料原料を指す。
【００３１】
ジュリ形態の化粧料成分１１は、ジュリ形態のため水分を含む。収納時、ジュリ形態の化粧料成分１１と油性の増粘性剤成分１２とは、ほとんど混じり合わず、独立した層をなし、化粧料成分１１上に油性の増粘性剤成分１２が配される。混合状態で配されるようにしてもよいし、分封状態で配するようにしてもよい。油性の増粘性剤成分１２の量は、ジュリ形態の化粧料成分１１の量に比して数％あれば足りる。
【００３２】
水素発生剤成分１３は、ジュリ形態の化粧料成分の量よりも少量収納されれば足りる。
【００３３】
このように、一方の収容室１に、ジュリ形態の化粧料成分１１及び油性の増粘性剤成分１２が収納される。他方の収容室２に、収容室内空間部１４を形成する形態で、ジュリ形態の化粧料成分の量よりも少量とされた紛体形態の水素発生剤成分１３が収納される。
【００３４】
ジュリ形態の化粧料成分は、市販中のものが用いられ、市販されるジュリ形態の化粧料成分が含まれる。ジュリ形態の化粧料成分には、顔塗付用化粧料成分、パック用化粧料成分あるいは洗顔用化粧料が含まれる。
【００３５】
増粘性剤１２としては、化粧品用植物油を用い得る。例えば、スワララン、マダデミアナッツ油、ホホバ種子油、オリーブ油、ローズヒップ油のブレンド油、アボカドの種子から得られた油、杏子の核仁から得られた油、トウモロコシ胚芽油、ヒマワリ油、ヘーゼルナッツ油、メドウホーム油、クランベアビシニカ油等が使用され得る。
【００３６】
水素発生剤成分は、典型的には酸化カルシウム粉末とアルミニウム粉末で構成される。これらの材料になる水素発生剤成分は、ジュル形態の化粧料成分に接すると、ジュル形態の化粧品に含まれた水分と反応して、発熱して水素を発生させる。
【００３７】
一方の収容室１に、ジュリ形態の化粧料成分１１及び油性の増粘性剤成分１２が収納され、他方の収容室２に、収容室内空間部１４が形成された形態で、ジュリ形態の化粧料成分の量よりも少量とされた紛体形態の水素発生剤成分１３が収納される。一方の収容室１に、ジュリ形態の化粧料成分１１及び油性の増粘性剤成分１２が満杯の状態で収納され得、他方の収容室２に、紛体形態の水素発生剤成分１３が未満杯の状態で収納され得る。
【００３８】
収容室内空間部１４が形成されることで、他方の収容室２に収容され紛体形態の水素発生剤成分１３の収容室内自由移動が可能とされる。
【００３９】
図３は、外圧によって二つの収容室１、２が重なるように折れ目線１０を中心して折り曲げられ、外部から押圧された状態を示す図である。
【００４０】
図４は、外圧によって二つの収容室１、２が重なるように折り曲げられときの開口部２１の形成の状態を示す図である。
【００４１】
これらの図において、外部からの外圧によって二つの収容室１、２が重なるように折り曲げられとき、折れ目線１０に沿って比較的に硬いシート３が破断する。可撓制のシート４は破断されず、現状の形態を維持する。双方の突状通路部６、７が、破断した折れ目線１０に沿って並列して開口し、それぞれ独立に収容されたジュリ形態の化粧料成分１１及び油性の増粘性剤成分１２と紛体形態の水素発生剤成分１３とが同時に同一方向に向けて押し出される開口部２１が形成されることになる。ここで同時とは、時間が全く一致することでということではなく、時間帯に幅内で同時にということであり、時間帯に幅内で双方の成分が同時に導出されれば足りる。
【００４２】
開口部２１は、突状通路部６、７に対応して開口部２１A、２１Bとなる。図において、開口部２１A上側が突状通路部６の先端部分を、そして開口部２１A下側が根本部分を示し、開口部２１B上側が突状通路部７の根本部分を、そして開口部２１A下側が先端部分を示す。このように、開口部２１A下側の開口部及び開口部２１B上側の開口部が同一方向に向けて、図において手前側に向けて開口する。本例の場合、開口部２１B上側の開口部の開口面積は、開口部２１A下側の開口部の開口面積に比べて大きい。
【００４３】
開口部２１A下側の開口部及び開口部２１B上側の開口部を介して、それぞれ独立に収容されたジュリ形態の化粧料成分及び油性の増粘性剤成分と紛体形態の水素発生剤成分とが同一方向に向けて押し出され、分配される。押し出され、分配される状況が図に示された。
【００４４】
上述したように、一方の収容室１に、ジュリ形態の化粧料成分１１及び油性の増粘性剤成分１２が収納され、他方の収容室２に、収容室内空間部１４を形成する形態で、ジュリ形態の化粧料成分の量よりも少量とされた紛体形態の水素発生剤成分１３が収納された。収容室７は、外面が押圧されると、収容室内空間部１４内の空気も押し出される。この空気は、紛体状で自由移動可能な水素発生剤成分１３を巻き込み、開口部２１Bから水素発生剤成分１３を導出させる。すなわち収容室内空間部１４内に浮遊された紛体上の水素発生剤成分１３は、押圧力と空気の押出によって開口部２１Bから導出される。
【００４５】
ジュリ形態の化粧料成分１１及び油性の増粘性剤成分１２は、ジュル状態であるので、押圧力によって開口部２１Aから容易に押し出される、すなわち導出される。
【００４６】
開口部２１A下側の開口部及び開口部２１B上側の開口部の開口形状の特徴並びに収容室内空間部１４に形成によって、それぞれ独立に収容されたジュリ形態の化粧料成分及び油性の増粘性剤成分と紛体形態の水素発生剤成分とが同時に同一方向に向けて導出抵抗が調整されるようにして導出され、分配流２８、２９を形成して、手の平３１上に分配される。この場合に、開口部２１Aを側方に配置し、開口部２１Bを中央部に配置したことで、水素発生剤成分１３をジュリ形態の化粧料成分で包み込むように導出させ、分配することができる。開口部２１の形状は、図３、４に示され得る構造に限定有れず、例えば双方とも同一形状の断面三角形状にすることもできる。
【００４７】
押し出され、分配されたジュリ形態の化粧料成分及び油性の増粘性剤成分と紛体形態の水素発生剤成分は、同時に人間の手の平３１上に、３種成分混合の状態の集合体３０として集合され得る。
【００４８】
図５は、手の平上で水素含有のジュリ化粧料を形成している状況を示す図である。
【００４９】
集合体として集合されたジュリ形態の化粧料成分１１及び油性の増粘性剤成分１２と紛体形態の水素発生剤成分１３は、手の平上にのせられ、人差し指３３で直ちに混合され、水素発生剤成分１３とジュリ形態の化粧料成分内の水分とが反応して、水素ガスを発生させ、化粧料を形成する。発生した水素ガスは、この混ぜ合わせによってジュリ形態の化粧料の中に含有される。ジュリ形態の化粧料は、混ぜ合わされた油性の増粘性剤成分の増粘作用によって粘性が高められ、ジュリ形態の化粧料中に、発生した水素ガスと閉じ込め、長時間保持持続する。
【００５０】
このようにして、ジュリ形態の化粧料成分及び油性の増粘性剤成分と紛体形態の水素発生剤成分とを分配する水素ガス含有化粧料形成のための組成物の分配方法を用いて実施する人間の手の平上で水素ガス含有のジュリ形態の化粧料を形成する水素含有化粧料形成方法において、導出され、分配されたジュリ形態の化粧料成分及び油性の増粘性剤成分と紛体形態の水素発生剤成分と人間の手の平上に同時に集合させ、人間の手の平上で混合させ、当該混合によってジュリ形態の化粧料成分中の水分と紛体形態の水素発生剤成分とを反応させて、水素ガスを生成させ、化粧料を生成させた。
【００５１】
生成した水素ガスをジュリ形態の化粧料中に保持せしめ、水素ガスを保持したジュリ形態の化粧料を直ちに使用可能とし、また、化粧料油性の増粘性剤を混合させることで、例えば手の甲上で使用された化粧料中に含有された水素ガスを長時間保持持続された。  この場合の使用は、手の甲に限定されず、顔、他の身体の一部に使用が含まれる。
【００５２】
このようにして、化粧料分配包装体を用いて人間の手の平上で水素ガス含有のジュリ形態の化粧料を形成する水素含有化粧料形成方法が形成される。形成された水素含有化粧料は、顔面あるいは手の上への顔塗付用化粧料としてのクリーム剤、パック剤あるいは洗顔剤として使用可能である。
【００５３】
図６は、このようにして形成した水素含有化粧料中の水素ガス濃度を手の平上で、水素ガス濃度測定器４１で測定している状態を示す図である。
【００５４】
図７は、実施例によって制作された水素含有化粧料が手の甲上で水素を含有することを、写真で示す図である。
【００５５】
図８は、本実施例及び比較例について水素濃度を測定した結果を示す実験報告書である。
【００５６】
本実施例によって水素含有化粧料を手の平上で生成し、手の甲上に塗布して水素生成の状況を測定した。水素発生剤が添加されなかった場合、さらに油性の増粘性剤成分が混合されなかった場合の水素含有化粧料を比較例にして、手の甲上に塗布して水素生成の状況を測定した。
【００５７】
実験報告書に記載されるように、ジュリ形態の化粧料成分としてのジエルに油性の増粘性剤成分としてのオイル及び紛体形態の水素発生剤成分としての紛体ＭｇＨ２を入れた。振盪させると、水素ガスが発生して、オイルが混合したジェル中によく混合され、閉じ込められ、長時間にわたってその濃度が維持された。
【００５８】
これに対して、試料−１、試料−２のいずれの比較例にあっても、水素ガス濃度は、直ちにゼロになった。水素ガスを注入するのではなく、ジュルとオイルとの混合物の中で、水素ガスを発生させることで、長時間にわたって水素濃度が維持される。
【００５９】
このように、前記流動物質は、その一方がジュリ形態の化粧料成分及び油性の増粘性剤成分であり、他方が紛体形態の水素発生剤成分とすることで、長時間にわたって水素濃度が維持される。
【符号の説明】
【００６０】
１、２…収容室、３…比較的に硬いシート、４…可撓性のシート、５…隔絶部、６…一方の突状通路部、７…他方の突状通路部、８、９…各収容室への連接部分、１０…折れ目線、１１…ジュリ形態の化粧料成分、１２…油性の増粘性剤成分、１３…紛体形態の水素発生剤成分、１４…収容室内空間部、２０、２９…分配流、３０…集合体、３１…手の平、１００…化粧料分配包装体。
【図１】
2019130214.tif 000003
【図２】
2019130214.tif 000004
【図３】
2019130214.tif 000005
【図４】
2019130214.tif 000006
【図５】
2019130214.tif 000007
【図６】
2019130214.tif 000008
【図７】
2019130214.tif 000009
【図８】
2019130214.tif 000010
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
比較的に硬いシートと折り曲げ可能な可撓性のシートとを備え、折り曲げられたときに伸長側に比較的に硬いシートが配されて、これらのシートが重ねられて周縁を互いに固着されて、流動物質をそれぞれ収納し得るように形成された二つの収容室が互いに向かい合うようにして併設され、かつ当該二つの収容室の間は前記二つのシートが互いに固着されることで形成された隔絶部によって隔絶され、一方の収容室に連接して一方の突状通路部が、そして他方の収容室に連接して他方の突状通路部が設けられ、これらの突状通路部が互いに隔絶部で隔絶され、隔絶部が、隔絶部を形成したシートの内、比較的硬いシートに、双方の突状通路部を横断するようにして設けられた折れ目線を備えた化粧料分配包装体であって、
前記流動物質は、その一方がジュリ形態の化粧料成分及び油性の増粘性剤成分であり、他方が粉末状の水素発生剤成分であり、
前記一方の収容室に、ジュリ形態の化粧料成分及び油性の増粘性剤成分が収納され、前記他方の収容室に、収容室内空間部を形成する形態で、粉末状の水素発生剤成分が収納され、
外圧によって前記二つの収容室が重なるように折り曲げられ、押圧されると、前記折れ目線に沿って比較的に硬いシートが破断し、可撓性のシートが破断されず、前記双方の突状通路部が、破断した折れ目線に沿って開口し、
前記双方の突状通路部は、粉末状の水素発生剤成分が収納された収容室に連通する側の突状通路部の開口部の開口面積が、ジュリ形態の化粧料成分及び油性の増粘性剤成分が収納された収容室に連通する側の突状通路部の開口部の開口面積に比べて大きく形成されていることを特徴とする化粧料分配包装体。
【請求項２】
比較的に硬いシートと折り曲げ可能な可撓性のシートとを備え、折り曲げられたときに伸長側に比較的に硬いシートが配されて、これらのシートが重ねられて周縁を互いに固着されて、流動物質をそれぞれ収納し得るように形成された二つの収容室が互いに向かい合うようにして併設され、かつ当該二つの収容室の間は前記二つのシートが互いに固着されることで形成された隔絶部によって隔絶され、一方の収容室に連接して一方の突状通路部が、そして他方の収容室に連接して他方の突状通路部が設けられ、これらの突状通路部が互いに隔絶部で隔絶され、隔絶部が、隔絶部を形成したシートの内、比較的硬いシートに、双方の突状通路部を横断するようにして設けられた折れ目線を備えた化粧料分配包装体であって、
前記流動物質は、その一方がジュリ形態の化粧料成分及び油性の増粘性剤成分であり、他方が粉末状の水素発生剤成分であり、
前記一方の収容室に、ジュリ形態の化粧料成分及び油性の増粘性剤成分が収納され、前記他方の収容室に、収容室内空間部を形成する形態で、粉末状の水素発生剤成分が収納され、
外圧によって前記二つの収容室が重なるように折り曲げられ、押圧されると、前記折れ目線に沿って比較的に硬いシートが破断し、可撓性のシートが破断されず、前記双方の突状通路部が、破断した折れ目線に沿って開口し、
前記双方の突状通路部は、粉末状の水素発生剤成分が収納された収容室に連通する側の突状通路部の開口部が中央側に、ジュリ形態の化粧料成分及び油性の増粘性剤成分が収納された収容室に連通する側の突状通路部の開口部が外側に設置されていることを特徴とする化粧料分配包装体。
【請求項３】
比較的に硬いシートと折り曲げ可能な可撓性のシートとを備え、折り曲げられたときに伸長側に比較的に硬いシートが配されて、これらのシートが重ねられて周縁を互いに固着されて、流動物質をそれぞれ収納し得るように形成された二つの収容室が互いに向かい合うようにして併設され、かつ当該二つの収容室の間は前記二つのシートが互いに固着されることで形成された隔絶部によって隔絶され、一方の収容室に連接して一方の突状通路部が、そして他方の収容室に連接して他方の突状通路部が設けられ、これらの突状通路部が互いに隔絶部で隔絶され、一方の収容室に連接して一方の突状通路部が、他方の収容室に連接して他方の突状通路部が設けられ、これらの突状通路部がそれぞれ隔絶部の中央を越えて、各収容室への連接部分から隔絶部まで延在し、隔絶部が、隔絶部を形成したシートの内、比較的硬いシートに、双方の突状通路部を横断するようにして設けられた折れ目線を備えた化粧料分配包装体を用いてそれぞれの流動物質を分配するものであって、
前記流動物質は、その一方がジュリ形態の化粧料成分及び油性の増粘性剤成分で、他方を粉末状の水素発生剤成分であり、
ジュリ形態の化粧料成分及び油性の増粘性剤成分と粉末状の水素発生剤成分とを分配する水素ガス含有化粧料形成のための組成物の分配方法において、
前記一方の収容室に、ジュリ形態の化粧料成分及び油性の増粘性剤成分を収納し、前記他方の収容室に、収容室内空間部を形成する形態で、ジュリ形態の化粧料成分の量よりも少量とされた粉末状の水素発生剤成分を収納し、
外圧によって前記二つの収容室が重なるように折り曲げ、押圧して、前記折れ目線に沿って比較的に硬いシートを破断させ、可撓性のシートを破断させず、前記双方の突状通路部を、破断した折れ目線に沿って開口し、それぞれ独立に収容されたジュリ形態の化粧料及び油性の増粘性剤と粉末状で収納の水素発生剤とが同一方向に向けて押し出され、分配されるものであって、
粉末状の水素発生剤成分が収納された収容室に連通する側の突状通路部の開口部の開口面積を、ジュリ形態の化粧料成分及び油性の増粘性剤成分が収納された収容室に連通する側の突状通路部の開口部の開口面積に比べて大きく形成していること
を特徴とするジュリ形態の化粧料成分及び油性の増粘性剤成分と粉末の水素発生剤成分とを分配する水素ガス含有化粧料形成のための組成物の分配方法。
【請求項４】
比較的に硬いシートと折り曲げ可能な可撓性のシートとを備え、折り曲げられたときに伸長側に比較的に硬いシートが配されて、これらのシートが重ねられて周縁を互いに固着されて、流動物質をそれぞれ収納し得るように形成された二つの収容室が互いに向かい合うようにして併設され、かつ当該二つの収容室の間は前記二つのシートが互いに固着されることで形成された隔絶部によって隔絶され、一方の収容室に連接して一方の突状通路部が、そして他方の収容室に連接して他方の突状通路部が設けられ、これらの突状通路部が互いに隔絶部で隔絶され、一方の収容室に連接して一方の突状通路部が、他方の収容室に連接して他方の突状通路部が設けられ、これらの突状通路部がそれぞれ隔絶部の中央を越えて、各収容室への連接部分から隔絶部まで延在し、隔絶部が、隔絶部を形成したシートの内、比較的硬いシートに、双方の突状通路部を横断するようにして設けられた折れ目線を備えた化粧料分配包装体を用いてそれぞれの流動物質を分配するものであって、
前記流動物質は、その一方がジュリ形態の化粧料成分及び油性の増粘性剤成分で、他方を粉末状の水素発生剤成分であり、
ジュリ形態の化粧料成分及び油性の増粘性剤成分と粉末状の水素発生剤成分とを分配する水素ガス含有化粧料形成のための組成物の分配方法において、
前記一方の収容室に、ジュリ形態の化粧料成分及び油性の増粘性剤成分を収納し、前記他方の収容室に、収容室内空間部を形成する形態で、ジュリ形態の化粧料成分の量よりも少量とされた粉末状の水素発生剤成分を収納し、
外圧によって前記二つの収容室が重なるように折り曲げ、押圧して、前記折れ目線に沿って比較的に硬いシートを破断させ、可撓性のシートを破断させず、前記双方の突状通路部を、破断した折れ目線に沿って開口し、それぞれ独立に収容されたジュリ形態の化粧料及び油性の増粘性剤と粉末状で収納の水素発生剤とが同一方向に向けて押し出され、分配されるものであって、
粉末状の水素発生剤成分が収納された収容室に連通する側の突状通路部の開口部を中央側に、ジュリ形態の化粧料成分及び油性の増粘性剤成分が収納された収容室に連通する側の突状通路部の開口部を外側に設置していること
を特徴とするジュリ形態の化粧料成分及び油性の増粘性剤成分と粉末の水素発生剤成分とを分配する水素ガス含有化粧料形成のための組成物の分配方法。
【請求項５】
請求項３、４のいずれかに記載されたジュリ形態の化粧料成分及び油性の増粘性剤成分と粉末状の水素発生剤成分とを分配する水素ガス含有化粧料形成のための組成物の分配方法を用いて実施する人間の手の平上で水素ガス含有のジュリ形態の化粧料を混合、形成する水素含有化粧料形成方法において、
押し出され、分配されたジュリ形態の化粧料成分及び油性の増粘性剤成分と粉末の水素発生剤成分と人間の手の平上に同時に集合させ、人間の手の平上で混合させ、
当該混合によってジュリ形態の化粧料中の水分と粉末状の水素発生剤成分とを反応させて、水素ガスを生成させ、ジュリ形態の化粧料を生成させ、生成した水素ガスを生成されたジュリ形態の化粧料中に含有せしめ、水素ガスを含有したジュリ形態の化粧料を直ちに使用可能とし、ジュリ形態の化粧料中に水素ガスを保持持続させたこと
を特徴とした化粧料分配包装体を用いて人間の手の平上で水素ガス含有のジュリ形態の化粧料を形成することを可能した水素含有化粧料形成方法。
【手続補正２】
【補正対象書類名】明細書
【補正対象項目名】００１１
【補正方法】変更
【補正の内容】
【００１１】
本発明は、比較的に硬いシートと折り曲げ可能な可撓性のシートとを備え、折り曲げられたときに伸長側に比較的に硬いシートが配されて、これらのシートが重ねられて周縁を互いに固着されて、流動物質をそれぞれ収納し得るように形成された二つの収容室が互いに向かい合うようにして併設され、かつ当該二つの収容室の間は前記二つのシートが互いに固着されることで形成された隔絶部によって隔絶され、一方の収容室に連接して一方の突状通路部が、そして他方の収容室に連接して他方の突状通路部が設けられ、これらの突状通路部が互いに隔絶部で隔絶され、隔絶部が、隔絶部を形成したシートの内、比較的硬いシートに、双方の突状通路部を横断するようにして設けられた折れ目線を備えた化粧料分配包装体であって、
前記流動物質は、その一方がジュリ形態の化粧料成分及び油性の増粘性剤成分であり、他方が紛体状の水素発生剤成分であり、
前記一方の収容室に、ジュリ形態の化粧料成分及び油性の増粘性剤成分が収納され、前記他方の収容室に、収容室内空間部を形成する形態で、ジュリ形態の化粧料成分の量よりも少量とされた紛体状の水素発生剤成分が収納され、
外圧によって前記二つの収容室が重なるように折り曲げられ、押圧されると、前記折れ目線に沿って比較的に硬いシートが破断し、可撓性のシートが破断されず、前記双方の突状通路部が、破断した折れ目線に沿って開口し、それぞれ独立に収容されたジュリ形態の化粧料成分及び油性の増粘性剤成分と紛体状の水素発生剤成分とが同時に同一方向に向けて押し出され得る開口部を備えることになる
を特徴とする化粧料分配包装体を提供する。
【手続補正３】
【補正対象書類名】明細書
【補正対象項目名】００１２
【補正方法】変更
【補正の内容】
【００１２】
本発明は、上述の化粧料分配包装体において、前記双方の突状通路部は、紛体状の水素発生剤成分が収納された収容室に連通する側の突状通路部の開口部の開口面積が、ジュリ形態の化粧料成分及び油性の増粘性剤成分が収納された収容室に連通する側の突状通路部の開口部の開口面積に比べて大きく形成されていることを特徴とする化粧料分配包装体を提供する。
【手続補正４】
【補正対象書類名】明細書
【補正対象項目名】００１３
【補正方法】変更
【補正の内容】
【００１３】
本発明は、上述の化粧料分配包装体において、前記双方の突状通路部は、紛体状の水素発生剤成分が収納された収容室に連通する側の突状通路部の開口部が中央側に、ジュリ形態の化粧料成分及び油性の増粘性剤成分が収納された収容室に連通する側の突状通路部の開口部が外側に設置されていることを特徴とする化粧料分配包装体を提供する。
【手続補正５】
【補正対象書類名】明細書
【補正対象項目名】００１４
【補正方法】変更
【補正の内容】
【００１４】
本発明は、比較的に硬いシートと折り曲げ可能な可撓性のシートとを備え、折り曲げられたときに伸長側に比較的に硬いシートが配されて、これらのシートが重ねられて周縁を互いに固着されて、流動物質をそれぞれ収納し得るように形成された二つの収容室が互いに向かい合うようにして併設され、かつ当該二つの収容室の間は前記二つのシートが互いに固着されることで形成された隔絶部によって隔絶され、一方の収容室に連接して一方の突状通路部が、そして他方の収容室に連接して他方の突状通路部が設けられ、これらの突状通路部が互いに隔絶部で隔絶され、一方の収容室に連接して一方の突状通路部が、他方の収容室に連接して他方の突状通路部が設けられ、これらの突状通路部がそれぞれ隔絶部の中央を越えて、各収容室への連接部分から隔絶部まで延在し、隔絶部が、隔絶部を形成したシートの内、比較的硬いシートに、双方の突状通路部を横断するようにして設けられた折れ目線を備えた化粧料分配包装体を用いてそれぞれの流動物質を分配するものであって、
前記流動物質は、その一方がジュリ形態の化粧料成分及び油性の増粘性剤成分で、他方を紛体状の水素発生剤成分であり、
ジュリ形態の化粧料成分及び油性の増粘性剤成分と紛体状の水素発生剤成分とを分配する水素ガス含有化粧料形成のための組成物の分配方法において、
前記一方の収容室に、ジュリ形態の化粧料成分及び油性の増粘性剤成分を収納し、前記他方の収容室に、収容室内空間部を形成する形態で、ジュリ形態の化粧料成分の量よりも少量とされた紛体状の水素発生剤成分を収納し、
外圧によって前記二つの収容室が重なるように折り曲げ、押圧して、前記折れ目線に沿って比較的に硬いシートを破断させ、可撓性のシートを破断させず、前記双方の突状通路部に、破断した折れ目線に沿って開口し、それぞれ独立に収容されたジュリ形態の化粧料及び油性の増粘性剤成分と紛体状の水素発生剤成分とを同一方向に向けて押し出し、分配すること
と特徴とするジュリ形態の化粧料成分及び油性の増粘性剤成分と紛体状の水素発生剤成分とを分配する水素ガス含有化粧料形成のための組成物の分配方法を提供する。
【手続補正６】
【補正対象書類名】明細書
【補正対象項目名】００１５
【補正方法】変更
【補正の内容】
【００１５】
本発明は、上述のジュリ形態の化粧料成分及び油性の増粘性剤成分と紛体状の水素発生剤成分とを分配する水素ガス含有化粧料形成のための組成物の分配方法を用いて実施する人間の手の平上で水素ガス含有のジュリ形態の化粧料を形成する水素含有化粧料形成方法において、
押し出し、分配されたジュリ形態の化粧料成分及び油性の増粘性剤成分と紛体状の水素発生剤成分と人間の手の平上に同時に集合させ、人間の手の平上で混合させ、
当該混合によってジュリ形態の化粧料中の水分と紛体状の水素発生剤成分とを反応させて、水素ガスを生成させ、ジュリ形態の化粧料を生成させ、生成した水素ガスを生成されたジュリ形態の化粧料中に含有せしめ、水素ガスを含有したジュリ形態の化粧料を直ちに使用可能とし、ジュリ形態の化粧料中に水素を保持持続させたこと
を特徴とした化粧料分配包装体を用いて人間の手の平上で水素ガス含有のジュリ形態の化粧料を形成する水素含有化粧料形成方法を提供する。
【手続補正７】
【補正対象書類名】明細書
【補正対象項目名】００１６
【補正方法】変更
【補正の内容】
【００１６】
外圧によって前記二つの収容室が重なるように折り曲げられ、押圧されると、前記折れ目線に沿って比較的に硬いシートが破断し、可撓性のシートが破断されず、前記双方の突状通路部が、破断した折れ目線に沿って開口し、それぞれ独立に収容されたジュリ形態の化粧料成分及び油性の増粘性剤成分と紛体状の水素発生剤成分とが同時に同一方向に向けて押し出され得る。
【手続補正８】
【補正対象書類名】明細書
【補正対象項目名】００２３
【補正方法】変更
【補正の内容】
【００２３】
当該二つの収容室１、２の間は二つのシート３、４互いに固着されることで形成された隔絶部５によって隔絶され、一方の収容室１に連接して一方の突状通路部６が、他方の収容室２に連接して他方の突状通路部７が設けられ、これらの突状通路部６、７がそれぞれ隔絶部５の中央を越えて、各収容室への連接部分８、９から隔絶部５まで延在し、隔絶部５が、隔絶部５を形成したシート３、４の内、比較的硬いシート３に、双方の突状通路部６、７を横断するようにして設けられた折れ目線１０を備えて構成される。
【手続補正９】
【補正対象書類名】明細書
【補正対象項目名】００２５
【補正方法】変更
【補正の内容】
【００２５】
各突状通路部６が隔絶部５に向けて徐々に突出し、隔絶部５において最大の大きさになる。
【手続補正１０】
【補正対象書類名】明細書
【補正対象項目名】００２７
【補正方法】変更
【補正の内容】
【００２７】
折れ目線１０は、図において左上側から右下側に向けて一直線上をなし、強度において、比較的硬いシート３に、弱点線を形成する。外圧によって二つの収容室１、２が重なるように折り曲げられ、押圧されると、隔絶部５上の折れ目線に沿って比較的に硬いシートが破断する。このときに可撓性のシートはその可撓性のため破断されない。可撓性のシート４は、二つの収容室１、２の接続関係を維持することができる。
【手続補正１１】
【補正対象書類名】明細書
【補正対象項目名】００２９
【補正方法】変更
【補正の内容】
【００２９】
化粧料分配包装体１００に収納される流動物質は、一方がジュリ形態の化粧料成分１１及び油性の増粘性剤成分１２であり、他方が紛体状の水素発生剤成分１３である。
【手続補正１２】
【補正対象書類名】明細書
【補正対象項目名】００３０
【補正方法】変更
【補正の内容】
【００３０】
ジュリ形態の化粧料成分１１及び油性の増粘性剤成分１２が一方の収納室１に収納され、紛体状の水素発生剤成分１３が一方の収納室２に収納される。ジュリ形態の化粧料成分１１、油性の増粘性剤成分１２及び紛体状の水素発生剤成分１３が水素ガス含有化粧料形成のための組成物となる。化粧料形成組成物とは、基本的には市販されたあるいは市販される化粧料成分、油性の増粘性剤成分１２及び紛体状の水素発生剤成分１３からなり、これらの成分に香料、スクラブ剤、粉末、色剤、美白剤、紫外線吸収剤、紫外線散乱剤などの紫外線防御剤が含まれてもよい。本実施例が適用される前の化粧料原料を指す。
【手続補正１３】
【補正対象書類名】明細書
【補正対象項目名】００３３
【補正方法】変更
【補正の内容】
【００３３】
このように、一方の収容室１に、ジュリ形態の化粧料成分１１及び油性の増粘性剤成分１２が収納される。他方の収容室２に、収容室内空間部１４を形成する形態で、ジュリ形態の化粧料成分の量よりも少量とされた紛体状の水素発生剤成分１３が収納される。
【手続補正１４】
【補正対象書類名】明細書
【補正対象項目名】００３７
【補正方法】変更
【補正の内容】
【００３７】
一方の収容室１に、ジュリ形態の化粧料成分１１及び油性の増粘性剤成分１２が収納され、他方の収容室２に、収容室内空間部１４が形成された形態で、ジュリ形態の化粧料成分の量よりも少量とされた紛体状の水素発生剤成分１３が収納される。一方の収容室１に、ジュリ形態の化粧料成分１１及び油性の増粘性剤成分１２が満杯の状態で収納され得、他方の収容室２に、紛体状の水素発生剤成分１３が未満杯の状態で収納され得る。
【手続補正１５】
【補正対象書類名】明細書
【補正対象項目名】００４１
【補正方法】変更
【補正の内容】
【００４１】
これらの図において、外部からの外圧によって二つの収容室１、２が重なるように折り曲げられとき、折れ目線１０に沿って比較的に硬いシート３が破断する。可撓制のシート４は破断されず、現状の形態を維持する。双方の突状通路部６、７が、破断した折れ目線１０に沿って並列して開口し、それぞれ独立に収容されたジュリ形態の化粧料成分１１及び油性の増粘性剤成分１２と紛体状の水素発生剤成分１３とが同時に同一方向に向けて押し出される開口部２１が形成されることになる。ここで同時とは、時間が全く一致することでということではなく、時間帯に幅内で同時にということであり、時間帯に幅内で双方の成分が同時に導出されれば足りる。
【手続補正１６】
【補正対象書類名】明細書
【補正対象項目名】００４４
【補正方法】変更
【補正の内容】
【００４４】
上述したように、一方の収容室１に、ジュリ形態の化粧料成分１１及び油性の増粘性剤成分１２が収納され、他方の収容室２に、収容室内空間部１４を形成する形態で、ジュリ形態の化粧料成分の量よりも少量とされた紛体状の水素発生剤成分１３が収納された。収容室７は、外面が押圧されると、収容室内空間部１４内の空気も押し出される。この空気は、紛体状で自由移動可能な水素発生剤成分１３を巻き込み、開口部２１Bから水素発生剤成分１３を導出させる。すなわち収容室内空間部１４内に浮遊された紛体状の水素発生剤成分１３は、押圧力と空気の押出によって開口部２１Bから導出される。
【手続補正１７】
【補正対象書類名】明細書
【補正対象項目名】００４６
【補正方法】変更
【補正の内容】
【００４６】
開口部２１A下側の開口部及び開口部２１B上側の開口部の開口形状の特徴並びに収容室内空間部１４に形成によって、それぞれ独立に収容されたジュリ形態の化粧料成分及び油性の増粘性剤成分と紛体状の水素発生剤成分とが同時に同一方向に向けて導出抵抗が調整されるようにして導出され、分配流２８、２９を形成して、手の平３１上に分配される。この場合に、開口部２１Aを側方に配置し、開口部２１Bを中央部に配置したことで、水素発生剤成分１３をジュリ形態の化粧料成分で包み込むように導出させ、分配することができる。開口部２１の形状は、図３、４に示され得る構造に限定有れず、例えば双方とも同一形状の断面三角形状にすることもできる。
【手続補正１８】
【補正対象書類名】明細書
【補正対象項目名】００４９
【補正方法】変更
【補正の内容】
【００４９】
集合体として集合されたジュリ形態の化粧料成分１１及び油性の増粘性剤成分１２と紛体状の水素発生剤成分１３は、手の平上にのせられ、人差し指３３で直ちに混合され、水素発生剤成分１３とジュリ形態の化粧料成分内の水分とが反応して、水素ガスを発生させ、化粧料を形成する。発生した水素ガスは、この混ぜ合わせによってジュリ形態の化粧料の中に含有される。ジュリ形態の化粧料は、混ぜ合わされた油性の増粘性剤成分の増粘作用によって粘性が高められ、ジュリ形態の化粧料中に、発生した水素ガスと閉じ込め、長時間保持持続する。
【手続補正１９】
【補正対象書類名】明細書
【補正対象項目名】００５０
【補正方法】変更
【補正の内容】
【００５０】
このようにして、ジュリ形態の化粧料成分及び油性の増粘性剤成分と紛体状の水素発生剤成分とを分配する水素ガス含有化粧料形成のための組成物の分配方法を用いて実施する人間の手の平上で水素ガス含有のジュリ形態の化粧料を形成する水素含有化粧料形成方法において、導出され、分配されたジュリ形態の化粧料成分及び油性の増粘性剤成分と紛体状の水素発生剤成分と人間の手の平上に同時に集合させ、人間の手の平上で混合させ、当該混合によってジュリ形態の化粧料成分中の水分と紛体状の水素発生剤成分とを反応させて、水素ガスを生成させ、化粧料を生成させた。
【手続補正２０】
【補正対象書類名】明細書
【補正対象項目名】００５９
【補正方法】変更
【補正の内容】
【００５９】
このように、前記流動物質は、その一方がジュリ形態の化粧料成分及び油性の増粘性剤成分であり、他方が紛体状の水素発生剤成分とすることで、長時間にわたって水素濃度が維持される。
【手続補正２１】
【補正対象書類名】明細書
【補正対象項目名】００６０
【補正方法】変更
【補正の内容】
【００６０】
１、２…収容室、３…比較的に硬いシート、４…可撓性のシート、５…隔絶部、６…一方の突状通路部、７…他方の突状通路部、８、９…各収容室への連接部分、１０…折れ目線、１１…ジュリ形態の化粧料成分、１２…油性の増粘性剤成分、１３…紛体状の水素発生剤成分、１４…収容室内空間部、２０、２９…分配流、３０…集合体、３１…手の平、１００…化粧料分配包装体。